(57)【要約】      （修正有）【課題】ＨＡＲＱが行われ且つ２つ以上のサブフレームバンドリングが適用されている移動通信システムにおいて、複数チャネルの周波数リソース同士の衝突が生じることを軽減する。【解決手段】無線基地局ｅＮＢは、ＨＡＲＱが行われる上りリンクデータ信号の送信フォーマットを決定する送信フォーマット決定部１３と、上りリンクデータ信号の周波数リソースを決定する周波数リソース決定部１４と、ＰＤＣＣＨを介して上りリンクデータ信号の新規送信及び再送を指示する送信指示部１５と、ＰＨＩＣＨを介して上りリンクデータ信号の送達確認情報を送信する送達確認情報送信部１２とを具備し、送達確認情報送信部１２は、上りリンクデータ信号に対してサブフレームバンドリングが適用されている場合に、送達確認情報として常にＡＣＫを送信する。【選択図】図２
2011061388.tif 000002
【特許請求の範囲】
【請求項１】
同期型の自動再送制御が行われる第１上りリンク信号の送信フォーマットを決定するように構成されている送信フォーマット決定部と、
前記第１上りリンク信号の周波数リソースを決定するように構成されている周波数リソース決定部と、
第１下りリンク制御チャネルを介して、前記第１上りリンク信号の新規送信及び再送を指示するように構成されている送信指示部と、
前記第１上りリンク信号の受信を行うように構成されている受信部と、
第２下りリンク制御チャネルを介して、前記第１上りリンク信号の送達確認情報を送信するように構成されている送達確認情報送信部とを具備し、
前記送達確認情報送信部は、前記第１上りリンク信号が２つ以上のタイムフレームで連結されて送信される場合に、前記送達確認情報として常にＡＣＫを送信するように構成されていることを特徴とする無線基地局。
【請求項２】
前記送信フォーマット決定部は、前記第１上りリンク信号が２つ以上のタイムフレームで連結されて送信される場合の誤り率を、該第１上りリンク信号が１つのタイムフレームで送信される場合の誤り率よりも小さくなるように、該第１上りリンク信号の送信フォーマットを決定するように構成されていることを特徴とする請求項１に記載の無線基地局。
【請求項３】
前記送信フォーマット決定部は、前記第１上りリンク信号が２つ以上のタイムフレームで連結されて送信される場合の符号化率を、該第１上りリンク信号が１つのタイムフレームで送信される場合の符号化率よりも小さくなるように、該第１上りリンク信号の送信フォーマットを決定するように構成されていることを特徴とする請求項１又は２に記載の無線基地局。
【請求項４】
前記周波数リソース決定部は、前記第１上りリンク信号が２つ以上のタイムフレームで連結されて送信される場合に、連結されているタイムフレームの内、１つ目のタイムフレーム及び２つ目以降のタイムフレームにおいて、該第１上りリンク信号の周波数リソースが、ランダムアクセス用の信号のための周波数リソース又は上りリンク制御信号のための周波数リソースと衝突しないように、前記第１上りリンク信号の周波数リソースを決定するように構成されていることを特徴とする請求項１に記載の無線基地局。
【請求項５】
前記周波数リソース決定部は、前記第１上りリンク信号が２つ以上のタイムフレームで連結されて送信される場合に、連結されているタイムフレームの内、１つ目のタイムフレームにおいて、該第１上りリンク信号の周波数リソースが、第２上りリンク信号の初回送信及び再送のための周波数リソースと衝突しないように、該第１上りリンク信号の周波数リソースを決定し、連結されているタイムフレームの内、２つ目以降のタイムフレームにおいて、該第１上りリンク信号の周波数リソースが、該第２上りリンク信号の初回送信のための周波数リソースと衝突しないように、該第１上りリンク信号の周波数リソースを決定するように構成されていることを特徴とする請求項１に記載の無線基地局。
【請求項６】
前記第２上りリンク信号は、セミパーシステントスケジューリングにより無線リソースの割り当てが行われる上りリンク信号、又は、ランダムアクセス手順におけるメッセージ３であることを特徴とする請求項５に記載の無線基地局。
【請求項７】
前記周波数リソース決定部は、前記第１上りリンク信号が２つ以上のタイムフレームで連結されて送信される場合に、連結されているタイムフレームの内、１つ目のタイムフレーム及び２つ目以降のタイムフレームにおいて、該第１上りリンク信号の周波数リソースが、２つ以上のタイムフレームで連結されて送信される他の第１上りリンク信号の２つ目以降のタイムフレームにおける周波数リソースと衝突しないように、該第１上りリンク信号の周波数リソースを決定するように構成されていることを特徴とする請求項１に記載の無線基地局。
【請求項８】
前記受信部は、前記第１上りリンク信号が２つ以上のタイムフレームで連結されて送信される場合に、連結されているタイムフレームのそれぞれで受信処理を行い、正しく受信できたか否かの判定を行うように構成されていることを特徴とする請求項１に記載の無線基地局。
【請求項９】
移動局と無線基地局との間で、同期型の自動再送制御が行われる第１上りリンク信号を用いて通信を行う移動通信方法であって、
前記第１上りリンク信号の送信フォーマットを決定する工程Ａと、
前記第１上りリンク信号の周波数リソースを決定する工程Ｂと、
第１下りリンク制御チャネルを介して、前記第１上りリンク信号の新規送信及び再送を指示する工程Ｃと、
前記第１上りリンク信号の受信を行う工程Ｄと、
第２下りリンク制御チャネルを介して、前記第１上りリンク信号の送達確認情報を送信する工程Ｅとを具備し、
前記工程Ｅにおいて、前記第１上りリンク信号が２つ以上のタイムフレームで連結されて送信される場合に、前記送達確認情報として常にＡＣＫを送信することを特徴とする移動通信方法。
【発明の詳細な説明】
【技術分野】
【０００１】
本発明は、無線基地局及び移動通信方法に関する。
【背景技術】
【０００２】
この種の技術分野では、いわゆる第３世代の後継となる移動通信方式が、ワイドバンド符号分割多重接続（ＷＣＤＭＡ）方式の標準化団体３ＧＰＰにより検討されている。
【０００３】
特に、ＷＣＤＭＡ方式、高速ダウンリンクパケットアクセス（ＨＳＤＰＡ）方式及び高速アップリンクパケットアクセス（ＨＳＵＰＡ）方式等の後継として、ロングタームエボリューション（ＬＴＥ：Ｌｏｎｇ  Ｔｅｒｍ  Ｅｖｏｌｕｔｉｏｎ）方式や、更に後継のＩＭＴアドバンスト（ＩＭＴ-Ａｄｖａｎｃｅｄ）方式等が挙げられる。
【０００４】
ＬＴＥ方式等のシステムでは、移動局ＵＥ（Ｕｓｅｒ  Ｅｑｕｉｐｍｅｎｔ）に１つ以上のリソースブロック（ＲＢ：Ｒｅｓｏｕｒｃｅ  Ｂｌｏｃｋ）又はリソースユニット（Ｒｅｓｏｕｒｃｅ  Ｕｎｉｔ）を割り当てることで、下りリンク及び上りリンクの通信が行われる。
【０００５】
リソースブロックは、システム内の多数の移動局ＵＥで共有される。ＬＴＥ方式の場合、１ｍｓであるサブフレーム（Ｓｕｂ-ｆｒａｍｅ）毎に、無線基地局ｅＮＢは、複数の移動局ＵＥの内、どの移動局ＵＥにリソースブロックを割り当てるかを決定する。
【０００６】
サブフレームは、送信時間間隔（ＴＴＩ：Ｔｒａｎｓｍｉｓｓｉｏｎ  Ｔｉｍｅ  Ｉｎｔｅｒｖａｌ）と呼ばれてもよい。無線リソースの割り当てを決定する処理は、スケジューリングと呼ばれる。下りリンクの場合、スケジューリングで選択された移動局ＵＥ宛てに、無線基地局ｅＮＢは、１以上のリソースブロックの共有チャネルを介して下りリンクデータ信号を送信する。かかる共有チャネルは、物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）と呼ばれる。
【０００７】
上りリンクの場合、スケジューリングで選択された移動局ＵＥが、１以上のリソースブロックの共有チャネルを介して、無線基地局ｅＮＢに対して上りリンクデータ信号を送信する。かかる共有チャネルは、物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）と呼ばれる。
【０００８】
このような共有チャネルを用いた通信システムでは、原則として、サブフレーム毎に、どの移動局ＵＥに対して共有チャネルを割り当てるかをシグナリング（通知）する必要がある。
【０００９】
このシグナリングに用いられる制御チャネルは、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）又は下りＬ１/Ｌ２制御チャネル（ＤＬ-Ｌ１/Ｌ２  Ｃｏｎｔｒｏｌ  Ｃｈａｎｎｅｌ）と呼ばれる。
【００１０】
下りリンクにおける制御チャネルには、このＰＤＣＣＨに加えて、物理制御フォーマットインジケータチャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）や、物理ハイブリッドＡＲＱインジケータチャネル（ＰＨＩＣＨ：Ｐｈｙｓｉｃａｌ  Ｈｙｂｒｉｄ  ＡＲＱ  Ｉｎｄｉｃａｔｏｒ  Ｃｈａｎｎｅｌ）等が含まれてもよい。
【００１１】
例えば、ＰＤＣＣＨを介して、下りリンク制御信号として、次の情報が送信されてもよい。
【００１２】
・  下りスケジューリング情報（Ｄｏｗｎｌｉｎｋ  Ｓｃｈｅｄｕｌｉｎｇ  Ｉｎｆｏｒｍａｔｉｏｎ）
・  上りリンクスケジューリンググラント（Ｕｐｌｉｎｋ  Ｓｃｈｅｄｕｌｉｎｇ  Ｇｒａｎｔ）
・  送信電力制御コマンドビット（Ｔｒａｎｓｍｉｓｓｉｏｎ  Ｐｏｗｅｒ  Ｃｏｎｔｒｏｌ  Ｂｉｔ）
下りスケジューリング情報には、例えば、ＰＤＳＣＨに関する情報、具体的には、ＰＤＳＣＨにおけるリソースブロックの割り当て情報や移動局ＵＥ識別情報（ＵＥ-ＩＤ）やストリーム数やプリコーディングベクトル（Ｐｒｅ-ｃｏｄｉｎｇ  Ｖｅｃｔｏｒ）に関する情報やデータサイズや変調方式やＨＡＲＱ（Ｈｙｂｒｉｄ  Ａｕｔｏｍａｔｉｃ  Ｒｅｐｅａｔ  ｒｅＱｕｅｓｔ）に関する情報等が含まれる。
【００１３】
また、上りリンクスケジューリンググラントには、例えば、ＰＵＳＣＨに関する情報、具体的には、ＰＵＳＣＨにおけるリソースの割り当て情報や移動局ＵＥの識別情報（ＵＥ-ＩＤ）やデータサイズや変調方式や送信電力情報や上りリンクＭＩＭＯ（Ｕｐｌｉｎｋ  ＭＩＭＯ）における復調用参照信号（Ｄｅｍｏｄｕｌａｔｉｏｎ  Ｒｅｆｅｒｅｎｃｅ  Ｓｉｇｎａｌ）の情報等が含まれる。
【００１４】
ＰＣＦＩＣＨは、ＰＤＣＣＨのフォーマットを通知するためのチャネルである。より具体的には、ＰＣＦＩＣＨを介して、ＰＤＣＣＨのマッピングされるＯＦＤＭシンボル数が通知される。ＬＴＥ方式では、ＰＤＣＣＨのマッピングされるＯＦＤＭシンボル数は、１、２又は３であり、サブフレームの先頭のＯＦＤＭシンボルから順にマッピングされる。
【００１５】
ＰＨＩＣＨを介して、ＰＵＳＣＨを介して送信された上りリンクデータ信号について再送を要するか否かを示す送達確認情報（ＡＣＫ/ＮＡＣＫ：Ａｃｋｎｏｗｌｅｄｇｅｍｅｎｔ/Ｎｏｎ-Ａｃｋｎｏｗｌｅｄｇｅｍｅｎｔ  Ｉｎｆｏｒｍａｒｔｉｏｎ）が送信される。
【００１６】
上りリンクの場合、ＰＵＳＣＨを介して、ユーザデータ（上りリンクデータ信号）及びそれに付随する制御情報が伝送される。また、ＰＵＳＣＨとは別に、物理上りリンク制御チャネル（Ｐｈｙｓｉｃａｌ  Ｕｐｌｉｎｋ  Ｃｏｎｔｒｏｌ  Ｃｈａｎｎｅｌ）により上りリンク制御信号が伝送される。
【００１７】
かかる上りリンク制御信号は、例えば、下りリンクの品質情報（ＣＱＩ：Ｃｈａｎｎｅｌ  Ｑｕａｌｉｔｙ  Ｉｎｄｉｃａｔｏｒ、ＰＭＩ：Ｐｒｅ-ｃｏｄｉｎｇ  Ｍａｔｒｉｘ  Ｉｎｄｉｃａｔｏｒ、或いは、ＲＩ：Ｒａｎｋ  Ｉｎｄｉｃａｔｏｒ）及びＰＤＳＣＨの送達確認情報（ＡＣＫ/ＮＡＣＫ）等である。ＣＱＩは、ＰＤＳＣＨにおけるスケジューリング処理や適応変復調及び符号化処理（ＡＭＣＳ：Ａｄａｐｔｉｖｅ  Ｍｏｄｕｌａｔｉｏｎ  ａｎｄ  Ｃｏｄｉｎｇ  Ｓｃｈｅｍｅ）等に使用される。上りリンクでは、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）や、上下リンクの無線リソースの割り当て要求を示す信号（Ｓｃｈｅｄｕｌｉｎｇ  Ｒｅｑｕｅｓｔ）等も必要に応じて伝送される。
【００１８】
上述したように、ＬＴＥ方式等のシステムでは、移動局ＵＥの通信は、１つ以上のリソースブロックを用いて行われる。どのリソースブロックが使用可能であるかは、原則としてサブフレーム毎にシグナリング（通知）されなければならない。シグナリングを行う際にも何らかの無線リソースを要する。
【００１９】
シグナリングに使う無線リソースは、オーバーヘッドとなるので、無線リソースの利用効率の観点からは少ない方が好ましい。
【００２０】
このような観点から、ＬＴＥ方式では、上りリンクにおけるハイブリッド自動再送制御（ＨＡＲＱ）の再送用無線リソースは、一定の時間間隔毎に、一定の周波数だけシフトした無線リソースが使用されるように予め決められている。
【００２１】
すなわち、上りリンクの再送制御は、同期型のＡＲＱ方式で所定の周波数ホッピングパターンを用いて行われる。「同期型」は、再送のなされる時間的なタイミングが、 例えば、８ＴＴＩ毎のように一定の期間毎に訪れることに由来する。
【００２２】
なお、上述した上りリンクの再送制御は、無線基地局ｅＮＢが、所定のタイミングで、移動局ＵＥに対して、ＰＨＩＣＨを介してＮＡＣＫを送信することにより実現される。
【００２３】
かかるＮＡＣＫによる再送制御は、上述したように、予め決められた周波数リソースにおいてＰＵＳＣＨを介した上りリンクデータ信号の送信が行われる。かかる場合、例えば、再送のための周波数リソースが、ＰＲＡＣＨの周波数リソースと重複している場合に、ＰＵＳＣＨを介して送信される上りリンクデータ信号とＰＲＡＣＨを介して送信されるランダムアクセス用の信号とが衝突することにより、両者の通信品質が著しく劣化するとうい問題が生じる。
【００２４】
よって、上述した問題が生じる場合には、無線基地局ｅＮＢは、ＰＨＩＣＨを送信するタイミングで、移動局ＵＥに対して上りリンクスケジューリンググラントを送信し、ＰＵＳＣＨの周波数リソースを変更することが可能である。
【００２５】
この場合、移動局ＵＥの動作としては、ＰＨＩＣＨが送信されるタイミングで、上りスケジューリンググラントを受信した場合、ＰＨＩＣＨにより通知される送達確認情報を無視するという動作となる。
【００２６】
この場合、前記上りスケジューリンググラントが正しく受信されなかった場合、移動局ＵＥとしては、上りスケジューリンググラントが送信されなかったとみなすため、ＰＨＩＣＨにより通知される送達確認情報に基づいて、ＰＵＳＣＨの再送を行うか否かを決定する。
【００２７】
すなわち、移動局ＵＥの動作としては、ＰＨＩＣＨにより通知される送達確認情報がＮＡＣＫである場合、ＰＵＳＣＨの再送を行い、ＰＨＩＣＨにより通知される送達確認情報がＡＣＫである場合、ＰＵＳＣＨの再送を行わないという動作となる。
【００２８】
よって、上述したＰＵＳＣＨの周波数リソースを変更するための上りスケジューリンググラントを送信する場合には、上述したＰＵＳＣＨを介して送信される上りリンクデータ信号とＰＲＡＣＨを介して送信されるランダムアクセス用の信号との衝突を確実に回避するために、ＰＨＩＣＨにより通知される送達確認情報としてＡＣＫを送信することが望ましい。
【００２９】
なお、上述した衝突は、ＰＵＳＣＨを介して送信される上りリンクデータ信号とＰＲＡＣＨを介して送信されるランダムアクセス用の信号との衝突だけでなく、ＰＵＳＣＨを介して送信される上りリンクデータ信号の衝突とランダムアクセス手順におけるメッセージ３信号との衝突等、ＰＵＳＣＨを介して送信される上りリンクデータ信号とその他のチャネルとの衝突も発生し得る。
【００３０】
ところで、１つの無線リソースは、１つのサブフレーム（ＴＴＩ）及び１つ乃至１つ以上のリソースブロックの帯域幅（ＲＢ）を占める。各移動局ＵＥに対する無線リソースの割り当ては、サブフレーム毎に更新され、信号の送信及び再送もサブフレーム毎に行われるのが原則である。しかし、１サブフレーム分の信号が常に適切な受信品質をもたらすとは限らない。例えば、セル端に在圏する移動局ＵＥからの信号品質は、無線基地局ｅＮＢ近傍の移動局ＵＥからの信号品質に比べて低くなりがちである。
【００３１】
このような懸念に対処するため、「サブフレームバンドリング（Ｓｕｂ-ｆｒａｍｅ  Ｂｕｎｄｌｉｎｇ）」と呼ばれる技術がある（「ＴＴＩ  Ｂｕｎｄｌｉｎｇ」とも呼ばれてもよい）。この技術は、複数のサブフレーム（例えば、４つのＴＴＩ）にわたる無線リソースが、特定の移動局ＵＥに一度に割り当てられるようにし、例えば、セル端に在圏する移動局ＵＥからの信号品質を向上させようとする。前記サブフレームバンドリングが適用されている場合には、その移動局ＵＥからの信号の送信及び再送は、複数のサブフレーム毎にまとめて行われる。
【００３２】
サブフレームバンドリングについては、例えば、非特許文献１及び２に記載されている。
【先行技術文献】
【非特許文献】
【００３３】
【非特許文献１】３ＧＰＰ  ＴＳ３６.３２１  Ｖ８.４.０（２００８年１２月）、５.４.２章
【非特許文献２】３ＧＰＰ  ＴＳ３６.２１３  Ｖ８.５.０（２００８年１２月）、８章
【発明の概要】
【発明が解決しようとする課題】
【００３４】
ところで、サブフレームバンドリングが適用されている場合、通常の送信の場合と異なり、連結（バンドル）されたサブフレームの２つ目以降の送信における周波数リソースは、上りリンクスケジューリンググラントにより変更できないため、上述したように、ＰＲＡＣＨの周波数リソースとその他のチャネルの周波数リソースと衝突する可能性がある。
【００３５】
また、サブフレームバンドリングが適用されている場合、通常の送信の場合（図１１参照）とは異なり、図１２に示すように、無線基地局ｅＮＢが、移動局ＵＥに対するＰＨＩＣＨを介した送達確認情報の送信タイミングと上りリンクスケジューリンググラントの送信タイミングとが異なるため、上述したような再送のＰＵＳＣＨの周波数リソースとＰＲＡＣＨの周波数リソースやその他のチャネルの周波数リソースとが衝突する場合に、上りリンクスケジューリンググラントの送信の有無に応じて、ＰＨＩＣＨを介して送信される送達確認情報を変更するといった処理を行うことが困難となる。
【００３６】
そこで、本発明は、上述の課題に鑑みてなされたものであり、ＨＡＲＱが行われ且つ２つ以上のサブフレームバンドリングが適用されている移動通信システムにおいて、複数チャネルの周波数リソース同士の衝突が生じることを軽減することができる無線基地局及び移動通信方法を提供することを目的とする。
【課題を解決するための手段】
【００３７】
本発明の第１の特徴は、無線基地局であって、同期型の自動再送制御が行われる第１上りリンク信号の送信フォーマットを決定するように構成されている送信フォーマット決定部と、前記第１上りリンク信号の周波数リソースを決定するように構成されている周波数リソース決定部と、第１下りリンク制御信号を用いて、前記第１上りリンク信号の新規送信及び再送を指示するように構成されている送信指示部と、前記第１上りリンク信号の受信を行うように構成されている受信部と、第２下りリンク制御信号を用いて、前記第１上りリンク信号の送達確認情報を送信するように構成されている送達確認情報送信部とを具備し、前記送達確認情報送信部は、前記第１上りリンク信号が２つ以上のタイムフレームで連結されて送信される場合に、前記送達確認情報として常にＡＣＫを送信するように構成されていることを要旨とする。
【００３８】
本発明の第２の特徴は、移動局と無線基地局との間で、同期型の自動再送制御が行われる第１上りリンク信号を用いて通信を行う移動通信方法であって、前記第１上りリンク信号の送信フォーマットを決定する工程Ａと、前記第１上りリンク信号の周波数リソースを決定する工程Ｂと、第１下りリンク制御信号を用いて、前記第１上りリンク信号の新規送信及び再送を指示する工程Ｃと、前記第１上りリンク信号の受信を行う工程Ｄと、第２下りリンク制御信号を用いて、前記第１上りリンク信号の送達確認情報を送信する工程Ｅとを具備し、前記工程Ｅにおいて、前記第１上りリンク信号が２つ以上のタイムフレームで連結されて送信される場合に、前記送達確認情報として常にＡＣＫを送信することを要旨とする。
【発明の効果】
【００３９】
以上説明したように、本発明によれば、ＨＡＲＱが行われ且つ２つ以上のサブフレームバンドリングが適用されている移動通信システムにおいて、複数チャネルの周波数リソース同士の衝突が生じることを軽減することができる無線基地局及び移動通信方法を提供することができる。
【図面の簡単な説明】
【００４０】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムにおける送達確認情報の送信方法について説明するための図である。
【図４】本発明の第１の実施形態に係る移動通信システムにおける送信フォーマット及び周波数リソースの決定方法について説明するための図である。
【図５】本発明の第１の実施形態に係る移動通信システムにおける送信フォーマット及び周波数リソースの決定方法について説明するための図である。
【図６】本発明の第１の実施形態に係る移動通信システムにおける送信フォーマット及び周波数リソースの決定方法について説明するための図である。
【図７】本発明の第１の実施形態に係る移動通信システムにおける送信フォーマット及び周波数リソースの決定方法について説明するための図である。
【図８】本発明の第１の実施形態に係る無線基地局の動作を示すフローチャートである。
【図９】本発明の第１の実施形態に係る無線基地局の動作を示すフローチャートである。
【図１０】本発明の第１の実施形態に係る無線基地局の動作を示すフローチャートである。
【図１１】従来の移動通信システムにおける送達確認情報の送信方法について説明するための図である。
【図１２】従来の移動通信システムにおける送達確認情報の送信方法について説明するための図である。
【発明を実施するための形態】
【００４１】
（本発明の第１の実施形態に係る移動通信システムの構成）
図１乃至図７を参照して、本発明の第１の実施形態に係る移動通信システムの構成について説明する。
【００４２】
本実施形態に係る移動通信システムは、ＩＭＴ-Ａｄｖｅｎｃｅｄ方式の移動通信システムであり、上述のサブフレームバンドリングが適用可能であるように構成されている。
【００４３】
図１に示すように、本実施形態に係る移動通信システムでは、移動局ＵＥは、無線基地局ｅＮＢに対して、ＰＵＳＣＨを介して、上りリンクデータ信号を送信し、ＰＵＣＣＨを介して、上りリンク制御信号を送信し、ＰＲＡＣＨを介して、ランダムアクセス用の信号を送信するように構成されている。
【００４４】
なお、移動局ＵＥは、サブフレームバンドリングが適用されている場合には、上りリンクデータ信号（第１上りリンク信号）を２つ以上のサブフレーム（ＴＴＩ、タイムフレーム）で連結して送信するように構成されている。
【００４５】
一方、本実施形態に係る移動通信システムでは、無線基地局ｅＮＢは、移動局ＵＥに対して、ＰＤＳＣＨを介して、下りリンクデータ信号を送信し、ＰＤＣＣＨを介して、下りリンク制御信号を送信し、ＰＨＩＣＨを介して、ＰＵＳＣＨを介して送信された上りリンクデータ信号に対する送達確認情報（ＡＣＫ/ＮＡＣＫ）を送信するように構成されている。
【００４６】
具体的には、図２に示すように、無線基地局ｅＮＢは、受信部１１と、送達確認情報送信部１２と、送信フォーマット決定部１３と、周波数リソース決定部１４と、送信指示部１５とを具備している。
【００４７】
受信部１１は、ＰＵＳＣＨを介して、上りリンクデータ信号（第１上りリンク信号）の受信を行うように構成されている。ここで、上りリンクデータ信号に対してＨＡＲＱが行われるものとする。
【００４８】
また、受信部１１は、上りリンクデータ信号に対してサブフレームバンドリングが適用されている場合、すなわち、上りリンクデータ信号が２つ以上のサブフレーム（例えば、４個のサブフレーム）で連結されて送信される場合に、連結されているサブフレームのそれぞれで受信処理、すなわち、復号処理を行い、正しく受信できたか否かの判定（例えば、ＣＲＣチェック）を行うように構成されていてもよい。
【００４９】
この結果、連結されている最後のサブフレームにおける復号結果のみ「ＮＧ」で、他のサブフレームにおける復号結果が「ＯＫ」である場合に、適切に復号を行うことができる。
【００５０】
以下に、連結されているサブフレームのそれぞれで復号処理を行うことの意味を、さらに詳しく説明する。
【００５１】
一般に、ＨＡＲＱ再送が行われる場合の受信においては、再送される度に、受信信号が合成されるため、受信回数が大きくなればなる程、受信品質、例えば、受信ＳＩＲは向上し、結果として、復号結果がＯＫとなる確率が高くなる。
【００５２】
すなわち、サブフレームバンドリングが適用される場合には、連結されているサブフレームの数の内、時間的に後のサブフレームになればなる程、受信品質が向上し、復号結果がＯＫとなる確率が高くなる。
【００５３】
よって、この場合には、連結されているサブフレームのそれぞれで復号処理を行う必要はなく、連結されているサブフレームの内、最後のサブフレームで復号処理、すなわち、ＣＲＣチェックを行えばよいことになる。
【００５４】
しかしながら、上述したように、サブフレームバンドリングが行われる場合、ＰＲＡＣＨや他のチャネルとの衝突が発生し得るため、必ずしも、連結されているサブフレームの数の内、時間的に後のサブフレームになればなる程、受信品質が向上するとは限らない。
【００５５】
例えば、４個のサブフレームがバンドリングされている場合に、４個目のサブフレームでのみ、上述した衝突が発生しているとすると、３個目までのサブフレームで合成した受信信号の品質が、４個目までのサブフレームで合資せいた受信信号の品質よりも良くなることがある。
【００５６】
この場合、連結されているサブフレームの内、４個目のサブフレームのみＣＲＣチェックを行う場合には、ＣＲＣチェック結果がＮＧであるが、連結されているサブフレームのそれぞれＣＲＣチェックを行う場合には、ＣＲＣチェック結果がＯＫになるという場合がある。
【００５７】
すなわち、連結されているサブフレームのそれぞれで復号処理を行うことにより、上述した衝突による特性の劣化を低減することが可能となる。
【００５８】
送達確認情報送信部１２は、ＰＤＣＣＨ（第２下りリンク制御チャネル）を介して、上りリンクデータ信号（第１上りリンク信号）の送達確認情報（ＡＣＫ/ＮＡＣＫ）を送信するように構成されている。
【００５９】
ここで、送達確認情報送信部１２は、上りリンクデータ信号に対してサブフレームバンドリングが適用されている場合、すなわち、上りリンクデータ信号が２つ以上のサブフレーム（例えば、４個のサブフレーム）で連結されて送信される場合に、各サブフレームにおける復号結果に関係なく、送達確認情報として常にＡＣＫを送信するように構成されている。
【００６０】
例えば、図３に示すように、上りリンクデータ信号が、サブフレーム＃４乃至＃７で連結されて送信されている場合、送達確認情報送信部１２は、サブフレーム＃１１において、受信部１１における復号結果に関係なく、送達確認情報として常にＡＣＫを送信するように構成されている。
【００６１】
以下に、送達確認情報送信部１２が、受信部１１における復号結果に関係なく、送達確認情報として常にＡＣＫを送信することの意味を、さらに詳しく説明する。
【００６２】
図３や図１２に示すように、ＰＨＩＣＨの送信タイミングは、再送のための上りスケジューリンググラントの送信タイミングよりも時間的に早いタイミングである。
【００６３】
また、前記再送のための上りスケジューリンググラントの送信タイミングは、サブフレームバンドリングが適用されない場合の、新規送信及び再送のＰＵＳＣＨに対する上りスケジューリンググラントの送信タイミングと同一である。
【００６４】
この場合、再送のＰＵＳＣＨが、その他のチャネルと衝突するか否かは、ＰＨＩＣＨの送信タイミングではなく、上りスケジューリンググラントの送信タイミングで判定されることになる。
【００６５】
すなわち、ＰＨＩＣＨの送信タイミングにおいては、再送のＰＵＳＣＨが、その他のチャネルと衝突することができないことになる。
【００６６】
この場合、受信部１１における復号結果がＮＧである場合に、ＰＨＩＣＨにマッピングされる送達確認情報として、ＮＡＣＫを送信し、かつ、上りスケジューリンググラントを送信するタイミングで、衝突が判明したため、再送のＰＵＳＣＨの周波数リソースを変更するための上りスケジューリンググラントを送信するという処理を行った場合、前記再送のＰＵＳＣＨの周波数リソースを変更するための上りスケジューリンググラントが移動局ＵＥにおいて、正しく復号されなかった場合に、その他のチャネルとの衝突が発生することになる。
【００６７】
よって、受信部１１における復号結果に関係なく、ＰＨＩＣＨにマッピングされる送達確認情報としてＡＣＫを送信することにより、確実に、その他のチャネルとの衝突を回避することが可能となる。
【００６８】
送信フォーマット決定部１３は、上りリンクデータ信号の送信フォーマットを決定するように構成されている。
【００６９】
例えば、送信フォーマット決定部１３は、上りリンクデータ信号に対してサブフレームバンドリングが適用されている場合の誤り率を、上りリンクデータ信号に対してサブフレームバンドリングが適用されていない場合（上りリンクデータ信号が１つのサブフレームで送信される場合、すなわち、通常の送信の場合）の誤り率よりも小さくなるように、上りリンクデータ信号の送信フォーマットを決定するように構成されていてもよい。
【００７０】
ここで、前記誤り率とは、連結されているサブフレームの中の１つのサブフレームにおける誤り率ではなく、連結されている全てのサブフレームをＨＡＲＱの合成受信を用いて受信した場合の誤り率である。
【００７１】
より具体的には、サブフレームバンドリングが適用されない場合の誤り率が１０％である場合に、サブフレームバンドリングが適用されている場合の誤り率が１％になるように、上りリンクデータ信号の送信フォーマットを決定するように構成されていてもよい。
【００７２】
なお、前記１％は、一例であり、０．５％や０．１％であってもよい。また、上記誤り率は、論理チャネル毎、論理チャネルプライオリティ毎、Ｂｅａｒｅｒ毎、サービス種別毎に決定されてもよい。例えば、サービス種別には、ＶｏＩＰやＷｅｂ  Ｂｒｏｗｓｉｎｇ、Ｓｔｒｅａｍｉｎｇ、Ｂｅｓｔ  ｅｆｆｏｒｔ型の通信サービス等が含まれてよい。
【００７３】
以下に、送信フォーマット決定部１３が、サブフレームバンドリングが適用されている場合の誤り率を、サブフレームバンドリングが適用されていない場合の誤り率よりも小さくすることの意味を、さらに詳しく説明する。
【００７４】
上述したように、サブフレームバンドリングが適用される場合、その他のチャネルとの衝突が、当該ＰＵＳＣＨ、及び、その他のチャネルの伝送特性を著しく劣化させる。
【００７５】
よって、サブフレームバンドリングが適用されている場合の誤り率を小さくすることにより、連結されたサブフレームの再送の確率を減らすことが可能となり、結果として上述した衝突の確率を低減することが可能となる。
【００７６】
すなわち、サブフレームバンドリングが適用されている場合の誤り率を、サブフレームバンドリングが適用されていない場合の誤り率よりも小さくすることにより、上述した衝突による特性劣化を回避することが可能となる。
【００７７】
なお、上述した例においては、前記誤り率を、連結されているサブフレームの中の１つのサブフレームにおける誤り率ではなく、連結されている全てのサブフレームをＨＡＲＱの合成受信を用いて受信する場合の誤り率と定義したが、代わりに、前記誤り率を、連結されているサブフレームの中の１つのサブフレームにおける誤り率と定義してもよい。
【００７８】
この時、上りリンクデータ信号に対してサブフレームバンドリングが適用されている場合の誤り率を、上りリンクデータ信号に対してサブフレームバンドリングが適用されていない場合の誤り率よりも大きくなるように、上りリンクデータ信号の送信フォーマットを決定してもよい。
【００７９】
この場合、連結されている全てのサブフレームをＨＡＲＱの合成受信を用いて受信する場合の誤り率に関しては、上りリンクデータ信号に対してサブフレームバンドリングが適用されている場合の誤り率が、上りリンクデータ信号に対してサブフレームバンドリングが適用されていない場合の誤り率よりも小さくなるように、前記連結されているサブフレームの中の１つのサブフレームにおける誤り率が設定されてもよい。
【００８０】
或いは、送信フォーマット決定部１３は、上りリンクデータ信号に対してサブフレームバンドリングが適用されている場合の符号化率を、上りリンクデータ信号に対してサブフレームバンドリングが適用されていない場合の符号化率よりも小さくなるように、上りリンクデータ信号の送信フォーマットを決定するように構成されていてもよい。
【００８１】
ここで、前記符号化率とは、連結されているサブフレームの中の１つのサブフレームにおける符号化率ではなく、連結されている全てのサブフレームをＨＡＲＱの合成受信を用いて受信する場合の符号化率である。
【００８２】
より具体的には、サブフレームバンドリングが適用されない場合の符号化率が１/３である場合に、サブフレームバンドリングが適用されている場合の符号化率が１/６になるように、上りリンクデータ信号の送信フォーマットを決定するように構成されていてもよい。
【００８３】
なお、前記１/６は、一例であり、１/８や１/９であってもよい。また、上記符号化率は、論理チャネル毎、論理チャネルプライオリティ毎、Ｂｅａｒｅｒ毎、サービス種別毎に決定されてもよい。例えば、サービス種別には、ＶｏＩＰやＷｅｂ  Ｂｒｏｗｓｉｎｇ、Ｓｔｒｅａｍｉｎｇ、Ｂｅｓｔ  ｅｆｆｏｒｔ型の通信サービス等が含まれてよい。
【００８４】
以下に、送信フォーマット決定部１３が、サブフレームバンドリングが適用されている場合の符号化率を、サブフレームバンドリングが適用されていない場合の符号化率よりも小さくすることの意味を、さらに詳しく説明する。
【００８５】
上述したように、サブフレームバンドリングが適用される場合、その他のチャネルとの衝突が、当該ＰＵＳＣＨ、及び、その他のチャネルの伝送特性を著しく劣化させる。
【００８６】
よって、サブフレームバンドリングが適用されている場合の符号化率を小さくすることにより、誤り率を小さくすることが可能となり、結果として、連結されたサブフレームの再送の確率を減らすことが可能となり、結果として、上述した衝突の確率を低減することが可能となる。
【００８７】
すなわち、サブフレームバンドリングが適用されている場合の符号化率を、サブフレームバンドリングが適用されていない場合の符号化率よりも小さくすることにより、上述した衝突による特性劣化を回避することが可能となる。
【００８８】
なお、上述した例においては、前記符号化率を、連結されているサブフレームの中の１つのサブフレームにおける符号化率ではなく、連結されている全てのサブフレームをＨＡＲＱの合成受信を用いて受信する場合の符号化率と定義したが、代わりに、前記符号化率を、連結されているサブフレームの中の１つのサブフレームにおける符号化率と定義してもよい。
【００８９】
この時、上りリンクデータ信号に対してサブフレームバンドリングが適用されている場合の符号化率を、上りリンクデータ信号に対してサブフレームバンドリングが適用されていない場合の符号化率よりも大きくなるように、上りリンクデータ信号の送信フォーマットを決定してもよい。
【００９０】
この場合、連結されている全てのサブフレームをＨＡＲＱの合成受信を用いて受信する場合の符号化率に関しては、上りリンクデータ信号に対してサブフレームバンドリングが適用されている場合の符号化率が、上りリンクデータ信号に対してサブフレームバンドリングが適用されていない場合の符号化率よりも小さくなるように、前記連結されているサブフレームの中の１つのサブフレームにおける符号化率が設定されてもよい。
【００９１】
周波数リソース決定部１４は、上りリンクデータ信号の周波数リソースを決定するように構成されている。
【００９２】
ここで、周波数リソース決定部１４は、周波数リソース決定部１４は、上りリンクデータ信号に対してサブフレームバンドリングが適用されている場合に、連結されているサブフレームの内、１つ目のサブフレーム及び２つ目以降のサブフレームにおいて、ＰＵＳＣＨを介して送信される上りリンクデータ信号の周波数リソースが、ＰＲＡＣＨを介して送信されるランダムアクセス用の信号のための周波数リソース又はＰＵＣＣＨを介して送信される上りリンク制御信号のための周波数リソースと衝突しないように、第１上りリンク信号の周波数リソースを決定するように構成されていてもよい。
【００９３】
また、周波数リソース決定部１４は、上りリンクデータ信号に対してサブフレームバンドリングが適用されている場合に、連結されているサブフレームの内、１つ目のサブフレームにおいて、上りリンクデータ信号の周波数リソースが、第２上りリンク信号（例えば、セミパーシステントスケジューリングにより無線リソースの割り当てが行われる上りリンク信号、又は、ランダムアクセス手順におけるメッセージ３）の初回送信及び再送のための周波数リソースと衝突しないように、上りリンクデータ信号の周波数リソースを決定し、連結されているサブフレームの内、２つ目以降のサブフレームにおいて、上りリンクデータ信号の周波数リソースが、第２上りリンク信号の初回送信のための周波数リソースと衝突しないように、上りリンクデータ信号の周波数リソースを決定するように構成されていてもよい。
【００９４】
ここで、連結されているサブフレームの内、１つ目のサブフレームに関しては、第２の上りリンク信号の初回送信及び再送のための周波数リソースと衝突しないように、上りリンクデータ信号の周波数リソースを決定し、連結されているサブフレームの内、２つ目以降のサブフレームにおいては、上りリンクデータ信号の周波数リソースが、第２上りリンク信号の初回送信のための周波数リソースと衝突しないように、上りリンクデータ信号の周波数リソースを決定することの意味を説明する。
【００９５】
一般に、１つ目のサブフレームに関しては、同じタイミングで、セミパーシステントスケジューリングにより無線リソースの割り当てが行われる上りリンク信号の再送のための周波数リソースの割り当てや、メッセージ３の再送のための周波数リソースの割り当てが行われる。
【００９６】
この場合、前記再送のための周波数リソースと衝突しないように、上りリンクデータ信号の周波数リソースを決定することが可能である。一方、２つ目以降のサブフレームにおいては、上述した、セミパーシステントスケジューリングにより無線リソースの割り当てが行われる上りリンク信号の再送のための周波数リソースの割り当てや、メッセージ３の再送のための周波数リソースの割り当てがまだ行われていないため、それらの再送のための周波数リソースと衝突しないように、上りリンクデータ信号の周波数リソースを決定することが困難である。
【００９７】
なお、２つ目以降のサブフレームにおいても、上述した、セミパーシステントスケジューリングにより無線リソースの割り当てが行われる上りリンク信号の再送のための周波数リソースの割り当てや、メッセージ３の再送のための周波数リソースの割り当てがすでに行われている場合には、周波数リソース決定部１４は、それらの再送のための周波数リソースと衝突しないように、上りリンクデータ信号の周波数リソースを決定してもよい。
【００９８】
例えば、周波数リソース決定部１４は、上りリンクデータ信号に対してサブフレームバンドリングが適用されている場合に、図４に示す信号パターン１では、サブフレーム＃１４において、セミパーシステントスケジューリングにより無線リソースの割り当てが行われる上りリンク信号（以下、ＳＰＳ）の初回送信（新規送信）タイミングと上りリンクデータ信号の送信タイミングとが衝突するため、サブフレーム＃１０において、かかる上りリンクデータ信号の周波数リソースを、ＳＰＳの周波数リソースと衝突しないように選択する。
【００９９】
また、周波数リソース決定部１４は、上りリンクデータ信号に対してサブフレームバンドリングが適用されている場合に、図４に示す信号パターン２乃至４では、サブフレーム＃１４において、ＳＰＳの初回送信タイミングと上りリンクデータ信号の送信タイミングとが衝突するが、上りリンクデータ信号に対する上りリンクスケジューリンググラントが既に送信されてしまっているため（サブフレーム＃７乃至＃９）、サブフレーム＃１０において、ＳＰＳの周波数リソースを、上りリンクデータ信号の周波数リソースと衝突しないように選択する。
【０１００】
なお、図４に示す信号パターン５では、ＳＰＳの初回送信タイミングと上りリンクデータ信号の送信タイミングとが衝突しないため、周波数リソース決定部１４は、上述のように衝突を回避するような周波数リソースの選択を行う必要はない。
【０１０１】
なお、一般に、ＳＰＳの初回送信の周波数リソースは、準固定的に割り当てられている。よって、図４に示す信号パターン２乃至４の上りリンクデータ信号に対する上りリングスケジューリンググラントを送信するタイミングにおいて、前記ＳＰＳの初回送信の周波数リソースが決定されている場合がある。
【０１０２】
この場合には、周波数リソース決定部１４は、図４に示す信号パターン２乃至４の上りリンクデータ信号の周波数リソースと衝突しないように、ＳＰＳの周波数リソースを選択する代わりに、図４に示す信号パターン２乃至４の上りリンクデータ信号の２つ目以降のサブフレームにおける周波数リソースが、ＳＰＳの初回送信の周波数リソースと衝突しないように、かかる上りリンクデータ信号の周波数リソースを選択してもよい。
【０１０３】
例えば、周波数リソース決定部１４は、上りリンクデータ信号に対してサブフレームバンドリングが適用されている場合に、図５に示す信号パターン１乃至３では、サブフレーム＃１４において、メッセージ３（Ｍｅｓｓａｇｅ３）の初回送信タイミングと上りリンクデータ信号の送信タイミングとが衝突するため、サブフレーム＃８乃至＃１０において、上りリンクデータ信号の周波数リソースを、メッセージ３の周波数リソースと衝突しないように選択する。
【０１０４】
また、周波数リソース決定部１４は、上りリンクデータ信号に対してサブフレームバンドリングが適用されている場合に、図５に示す信号パターン４では、サブフレーム＃１４において、メッセージ３の初回送信タイミングと上りリンクデータ信号の送信タイミングとが衝突するが、上りリンクデータ信号に対する上りリンクスケジューリンググラントが既に送信されてしまっているため（サブフレーム＃７）、サブフレーム＃８において、メッセージ３の周波数リソースを、上りリンクデータ信号の周波数リソースと衝突しないように選択する。
【０１０５】
なお、図５に示す信号パターン５では、メッセージ３の初回送信タイミングと上りリンクデータ信号の送信タイミングとが衝突しないため、周波数リソース決定部１４は、上述のように衝突を回避するような周波数リソースの選択を行う必要はない。
【０１０６】
例えば、周波数リソース決定部１４は、上りリンクデータ信号に対してサブフレームバンドリングが適用されている場合に、図６に示す信号パターン１では、サブフレーム＃１４において、ＳＰＳ及びメッセージ３の再送タイミングと上りリンクデータ信号の送信タイミングとが衝突するため、サブフレーム＃１０において、上りリンクデータ信号の周波数リソースを、ＳＰＳ及びメッセージ３の再送用の周波数リソースと衝突しないように選択する。
【０１０７】
なお、上記処理においては、上りリンクデータ信号の優先度がＳＰＳ及びメッセージ３の優先度よりも低いことを前提としている。
【０１０８】
上りリンクデータ信号の優先度がＳＰＳ及びメッセージ３の優先度よりも高い場合には、周波数リソース決定部１４は、ＳＰＳ及びメッセージ３の再送用の周波数リソースを、前記上りリンクデータ信号の周波数リソースと衝突しないように選択してもよい。
【０１０９】
また、周波数リソース決定部１４は、上りリンクデータ信号に対してサブフレームバンドリングが適用されている場合に、図６に示す信号パターン２乃至４では、サブフレーム＃１４において、ＳＰＳ及びメッセージ３の再送タイミングと上りリンクデータ信号の送信タイミングとが衝突するが、上りリンクデータ信号に対する上りリンクスケジューリンググラントが既に送信されてしまっているため（サブフレーム＃７乃至＃９）、サブフレーム＃１０において、ＳＰＳ及びメッセージ３の再送用の周波数リソースを、上りリンクデータ信号の周波数リソースと衝突しないように選択する。
【０１１０】
なお、図６に示す信号パターン５では、ＳＰＳ及びメッセージ３の再送タイミングと上りリンクデータ信号の送信タイミングとが衝突しないため、周波数リソース決定部１４は、上述のように衝突を回避するような周波数リソースの選択を行う必要はない。
【０１１１】
また、周波数リソース決定部１４は、上りリンクデータ信号に対してサブフレームバンドリングが適用されている場合に、連結されているサブフレームの内、１つ目のサブフレーム及び２つ目以降のサブフレームにおいて、上りリンクデータ信号の周波数リソースが、２つ以上のサブフレームで連結されて送信される他の上りリンクデータ信号の２つ目以降のサブフレームにおける周波数リソースと衝突しないように、上りリンクデータ信号の周波数リソースを決定するように構成されていてもよい。
【０１１２】
例えば、周波数リソース決定部１４は、上りリンクデータ信号に対してサブフレームバンドリングが適用されている場合に、図７に示す信号パターン１では、サブフレーム＃１４乃至＃１７において、他のサブフレームバンドリングが適用されている上りリンクデータ信号（以下、他の上りリンクデータ信号）の初回送信タイミングと上りリンクデータ信号の送信タイミングとが衝突するため、サブフレーム＃１０において、上りリンクデータ信号の周波数リソースを、他の上りリンクデータ信号の周波数リソースと衝突しないように選択する。
【０１１３】
なお、上記処理においては、上りリンクデータ信号の優先度が他の上りリンクデータ信号の優先度よりも低いことを前提としている。
【０１１４】
上りリンクデータ信号の優先度が他の上りリンクデータ信号の優先度よりも高い場合には、周波数リソース決定部１４は、他の上りリンクデータ信号の周波数リソースを、前記上りリンクデータ信号の周波数リソースと衝突しないように選択してもよい。
【０１１５】
また、周波数リソース決定部１４は、上りリンクデータ信号に対してサブフレームバンドリングが適用されている場合に、図７に示す信号パターン２乃至４では、サブフレーム＃１４乃至＃１６において、他の上りリンクデータ信号の初回送信タイミングと上りリンクデータ信号の送信タイミングとが衝突するが、上りリンクデータ信号に対する上りリンクスケジューリンググラントが既に送信されてしまっているため（サブフレーム＃７乃至＃９）、サブフレーム＃１０において、他の上りリンクデータ信号の周波数リソースを、上りリンクデータ信号の周波数リソースと衝突しないように選択する。
【０１１６】
すなわち、周波数リソース決定部１４は、図７において、他のＴＴＩ  ｂｕｎｄｌｉｎｇ（すなわち、サブフレームバンドリング）が適用される信号の周波数リソースを決定する場合に、図７に示す信号パターン２乃至４における上りリンクデータ信号の２つ目以降のサブフレームにおける周波数リソースと衝突しないように、前記他ＴＴＩ  ｂｕｎｄｌｉｎｇが適用される信号の周波数リソースを決定する。
【０１１７】
上記処理は、他のＴＴＩ  ｂｕｎｄｌｉｎｇが適用される信号と、信号パターン２乃至４における上りリンクデータ信号の関係を入れ替えた場合にも適用されることができる。
【０１１８】
なお、図７に示す信号パターン５では、他の上りリンクデータ信号の初回送信タイミングと上りリンクデータ信号の送信タイミングとが衝突しないため、周波数リソース決定部１４は、上述のように衝突を回避するような周波数リソースの選択を行う必要はない。
【０１１９】
（本発明の第１の実施形態に係る移動通信システムの動作）
図８乃至図１０を参照して、本発明の第１の実施形態に係る移動通信システムの動作、具体的には、本発明の第１の実施形態に係る無線基地局ｅＮＢの動作について説明する。
【０１２０】
第１に、図８に示すように、ステップＳ１０１において、無線基地局ｅＮＢは、サブフレームバンドリングが適用されているか否かについて判定する。サブフレームバンドリングが適用されていると判定された場合、本動作は、ステップＳ１０２に進み、サブフレームバンドリングが適用されていないと判定された場合、本動作は、ステップＳ１０３に進む。
【０１２１】
ステップＳ１０２において、無線基地局ｅＮＢは、連結されているサブフレームにおける上りリンクデータ信号の復号結果に関係なく、ＰＨＩＣＨにマッピングされる送達確認情報として常にＡＣＫを送信する。
【０１２２】
ステップＳ１０３において、無線基地局ｅＮＢは、該当するサブフレームにおける上りリンクデータ信号の復号結果に基づいて、送達確認情報を送信する。
【０１２３】
第２に、図９に示すように、ステップＳ２０１において、無線基地局ｅＮＢは、サブフレームバンドリングが適用されているか否かについて判定する。サブフレームバンドリングが適用されていると判定された場合、本動作は、ステップＳ２０２に進み、サブフレームバンドリングが適用されていないと判定された場合、本動作は、ステップＳ２０３に進む。
【０１２４】
ステップＳ２０２において、無線基地局ｅＮＢは、誤り率が、上りリンクデータ信号に対してサブフレームバンドリングが適用されていない場合の誤り率よりも小さくなるように、上りリンクデータ信号の送信フォーマットを決定する。
【０１２５】
ステップＳ２０３において、無線基地局ｅＮＢは、誤り率が、上りリンクデータ信号に対してサブフレームバンドリングが適用されている場合の誤り率よりも大きくなるように、上りリンクデータ信号の送信フォーマットを決定する。
【０１２６】
第３に、図１０に示すように、ステップＳ３０１において、無線基地局ｅＮＢは、サブフレームバンドリングが適用されているか否かについて判定する。サブフレームバンドリングが適用されていると判定された場合、本動作は、ステップＳ３０２に進み、サブフレームバンドリングが適用されていないと判定された場合、本動作は、ステップＳ３０３に進む。
【０１２７】
ステップＳ３０２において、無線基地局ｅＮＢは、符号化率が、上りリンクデータ信号に対してサブフレームバンドリングが適用されていない場合の符号化率よりも小さくなるように、上りリンクデータ信号の送信フォーマットを決定する。
【０１２８】
ステップＳ３０３において、無線基地局ｅＮＢは、符号化率が、上りリンクデータ信号に対してサブフレームバンドリングが適用されている場合の符号化率よりも大きくなるように、上りリンクデータ信号の送信フォーマットを決定する。
【０１２９】
（本発明の第１の実施形態に係る移動通信システムの作用・効果）
本発明の第１の実施形態に係る移動通信システムによれば、ＨＡＲＱが行われ且つ２つ以上のサブフレームバンドリングが適用されている移動通信システムにおいて、複数チャネルの周波数リソース同士の衝突が生じることを軽減することができる。
【０１３０】
以上に述べた本実施形態の特徴は、以下のように表現されていてもよい。
【０１３１】
本実施形態の第１の特徴は、無線基地局ｅＮＢであって、ＨＡＲＱ（同期型の自動再送制御）が行われる上りリンクデータ信号（第１上りリンク信号）の送信フォーマットを決定するように構成されている送信フォーマット決定部１３と、上りリンクデータ信号の周波数リソースを決定するように構成されている周波数リソース決定部１４と、ＰＤＣＣＨ（第１下りリンク制御チャネル）を介して、上りリンクデータ信号の新規送信及び再送を指示するように構成されている送信指示部１５と、上りリンクデータ信号の受信を行うように構成されている受信部１１と、ＰＨＩＣＨ（第２下りリンク制御チャネル）を介して、上りリンクデータ信号の送達確認情報を送信するように構成されている送達確認情報送信部１２とを具備し、送達確認情報送信部１２は、上りリンクデータ信号に対してサブフレームバンドリングが適用されている場合（上りリンクデータ信号が２つ以上のサブフレーム（タイムフレーム）で連結されて送信される場合）に、送達確認情報として常にＡＣＫを送信するように構成されていることを要旨とする。
【０１３２】
本実施形態の第１の特徴において、送信フォーマット決定部１３は、上りリンクデータ信号に対してサブフレームバンドリングが適用されている場合の誤り率を、上りリンクデータ信号に対してサブフレームバンドリングが適用されていない場合（上りリンクデータ信号が１つのサブフレームで送信される場合）の誤り率よりも小さくなるように、上りリンクデータ信号の送信フォーマットを決定するように構成されていてもよい。
【０１３３】
本実施形態の第１の特徴において、送信フォーマット決定部１３は、上りリンクデータ信号に対してサブフレームバンドリングが適用されている場合の符号化率を、上りリンクデータ信号に対してサブフレームバンドリングが適用されていない場合の符号化率よりも小さくなるように、上りリンクデータ信号の送信フォーマットを決定するように構成されていてもよい。
【０１３４】
本実施形態の第１の特徴において、周波数リソース決定部１４は、上りリンクデータ信号に対してサブフレームバンドリングが適用されている場合に、連結されているサブフレームの内、１つ目のサブフレーム及び２つ目以降のサブフレームにおいて、上りリンクデータ信号の周波数リソースが、ランダムアクセス用の信号のための周波数リソース又は上りリンク制御信号のための周波数リソースと衝突しないように、上りリンクデータ信号の周波数リソースを決定するように構成されていてもよい。
【０１３５】
本実施形態の第１の特徴において、周波数リソース決定部１４は、上りリンクデータ信号に対してサブフレームバンドリングが適用されている場合に、連結されているサブフレームの内、１つ目のサブフレームにおいて、上りリンクデータ信号の周波数リソースが、第２上りリンク信号の初回送信及び再送のための周波数リソースと衝突しないように、上りリンクデータ信号の周波数リソースを決定し、連結されているサブフレームの内、２つ目以降のサブフレームにおいて、上りリンクデータ信号の周波数リソースが、第２上りリンク信号の初回送信のための周波数リソースと衝突しないように、上りリンクデータ信号の周波数リソースを決定するように構成されていてもよい。
【０１３６】
本実施形態の第１の特徴において、第２上りリンク信号は、セミパーシステントスケジューリングにより無線リソースの割り当てが行われる上りリンク信号、又は、ランダムアクセス手順におけるメッセージ３であってもよい。
【０１３７】
本実施形態の第１の特徴において、周波数リソース決定部１４は、上りリンクデータ信号に対してサブフレームバンドリングが適用されている場合に、連結されているサブフレームの内、１つ目のサブフレーム及び２つ目以降のサブフレームにおいて、上りリンクデータ信号の周波数リソースが、２つ以上のサブフレームで連結されて送信される他の上りリンクデータ信号の２つ目以降のサブフレームにおける周波数リソースと衝突しないように、上りリンクデータ信号の周波数リソースを決定するように構成されていてもよい。
【０１３８】
本実施形態の第１の特徴において、受信部１１は、上りリンクデータ信号に対してサブフレームバンドリングが適用されている場合に、連結されているサブフレームのそれぞれで受信処理を行い、正しく受信できたか否かの判定を行うように構成されていてもよい。
【０１３９】
本実施形態の第２の特徴は、移動局ＵＥと無線基地局ｅＮＢとの間で、ＨＡＲＱが行われる上りリンクデータ信号を用いて通信を行う移動通信方法であって、上りリンクデータ信号の送信フォーマットを決定する工程Ａと、上りリンクデータ信号の周波数リソースを決定する工程Ｂと、ＰＤＣＣＨを介して、上りリンクデータ信号の新規送信及び再送を指示する工程Ｃと、上りリンクデータ信号の受信を行う工程Ｄと、ＰＨＩＣＨを介して、上りリンクデータ信号の送達確認情報を送信する工程Ｅとを具備し、工程Ｅにおいて、上りリンクデータ信号が２つ以上のタイムフレームで連結されて送信される場合に、送達確認情報として常にＡＣＫを送信することを要旨とする。
【０１４０】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【０１４１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１４２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【０１４３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１４４】
ｅＮＢ…無線基地局
１１…受信部
１２…送達確認情報送信部
１３…送信フォーマット決定部
１４…周波数リソース決定部
１５…送信指示部
【図１】
2011061388.tif 000003
【図２】
2011061388.tif 000004
【図３】
2011061388.tif 000005
【図４】
2011061388.tif 000006
【図５】
2011061388.tif 000007
【図６】
2011061388.tif 000008
【図７】
2011061388.tif 000009
【図８】
2011061388.tif 000010
【図９】
2011061388.tif 000011
【図１０】
2011061388.tif 000012
【図１１】
2011061388.tif 000013
【図１２】
2011061388.tif 000014